(57)【特許請求の範囲】
【請求項１】
発信する端末の要求に従って伝送路間の接続を切り替えて通信回線を構成する回線交換通信機器で動作する着信拒否番号設定解除装置において、
発番号が非通知に設定された発端末からの着信を受けた着端末から、前記着信を拒否する着信拒否登録を受けた場合に、前記着端末との通信時に識別された前記発端末の電話番号を記憶手段に登録すると共に、当該登録した登録時刻を対応付けて登録する登録手段と、
前記着端末から着信拒否設定解除を受けた場合に、前記着端末により指定された指定時刻に対応する発端末の電話番号を前記記憶手段から削除する設定解除手段と、
を有することを特徴とする着信拒否番号設定解除装置。
【請求項２】
前記指定時刻は、
前記記憶手段の登録時刻を取得可能な音声応答装置により音声ガイダンスで前記着端末に提供された１以上の登録時刻から選択された時刻、又は、前記記憶手段の登録時刻を取得可能なウェブサーバにより前記着端末に表示された１以上の登録時刻から選択された時刻であることを特徴とする請求項１記載の着信拒否番号設定解除装置。
【請求項３】
前記回線交換通信機器は、
交換機又はＳＩＰサーバであることを特徴とする請求項１又は２記載の着信拒否番号設定解除装置。
【請求項４】
発信する端末の要求に従って伝送路間の接続を切り替えて通信回線を構成する回線交換通信機器で行う着信拒否番号設定解除方法において、
発番号が非通知に設定された発端末からの着信を受けた着端末から、前記着信を拒否する着信拒否登録を受けた場合に、前記着端末との通信時に識別された前記発端末の電話番号を記憶手段に登録すると共に、当該登録した登録時刻を対応付けて登録する登録ステップと、
前記着端末から着信拒否設定解除を受けた場合に、前記着端末により指定された指定時刻に対応する発端末の電話番号を前記記憶手段から削除する設定解除ステップと、
を有することを特徴とする着信拒否番号設定解除方法。
【請求項５】
前記指定時刻は、
前記記憶手段の登録時刻を取得可能な音声応答装置により音声ガイダンスで前記着端末に提供された１以上の登録時刻から選択された時刻、又は、前記記憶手段の登録時刻を取得可能なウェブサーバにより前記着端末に表示された１以上の登録時刻から選択された時刻であることを特徴とする請求項４記載の着信拒否番号設定解除方法。
【請求項６】
前記回線交換通信機器は、
交換機又はＳＩＰサーバであることを特徴とする請求項４又は５記載の着信拒否番号設定解除方法。
【請求項７】
請求項４乃至６のいずれかに記載の各ステップをコンピュータに実行させることを特徴とする着信拒否番号設定解除プログラム。
【発明の詳細な説明】
【技術分野】
【０００１】
本発明は、着端末に対して発番号が非通知に設定された番号であって、交換機やＳＩＰサーバ等の回線交換通信機器に着信拒否として登録された着信拒否番号の設定を解除する技術に関する。
【背景技術】
【０００２】
従来より、迷惑電話を着信拒否する方法において、迷惑電話の発番号が着端末まで通知されている場合は、電話番号自体を識別子として着信拒否を設定することができる。同様に、電話番号を識別子に用いて対象の電話番号を指定することにより、その着信拒否の設定を解除することができる（特許文献１参照）。
【０００３】
一方、発番号非通知の迷惑電話に対しては、その直後（それ以降の着信以前）に所定の電話番号にダイヤルすることにより、その電話番号からの着信を拒否登録できる電話網でのサービス（例えば、迷惑電話おことわりサービス）を利用できる。
【０００４】
ここで、図７を参照しながら、そのような発番号非通知の着信に対する着信拒否番号登録方法について以下説明する。
【０００５】
発番号が非通知に設定されている場合、発端末３００ｂの電話番号「Ａ」は、発網１００ｂや着網１００ａでは識別されるが、着信先の着端末３００ａには通知されない（Ｓ７０１）。
【０００６】
そのような発番号非通知の着信を拒否する場合、その迷惑電話を受けた直後に着信拒否登録用の特番をダイヤルすることにより、Ｓ７０１での着信時等に着網１００ａにより識別されていた発端末３００ｂの発番号（電話番号「Ａ」）が、着信拒否番号として着網１００ａのメモリ（例えば、着網内の交換機に具備されたメモリ）に登録される（Ｓ７０２）。
【０００７】
そして、その着信拒否番号は、着信拒否登録用の特番をダイヤルをした着端末３００ａの契約番号（電話番号「Ｘ」）と対応付けて登録されており、以後、着信拒否番号（発端末の電話番号「Ａ」）から契約番号（着端末の電話番号「Ｘ」）に発信したとしても網で拒否されるため、着端末３００ａには着信されない（Ｓ７０３）。
【０００８】
このような着信拒否番号登録方法を利用することにより、発端末の電話番号が通知されない場合であっても、その発端末による着信を拒否することが可能であった。
【先行技術文献】
【特許文献】
【０００９】
【特許文献１】特開平６−１８８９７７号公報
【特許文献２】特開平７−６６８６８号公報
【特許文献３】特開平８−２０４８２６号公報
【発明の概要】
【発明が解決しようとする課題】
【００１０】
しかしながら、着端末に対して発端末の電話番号が通知されていないため、電話番号を識別子に用いて、登録された着信拒否番号を取り消す（設定解除する）ことができないという課題があった。
【００１１】
そのような課題に対し、最も新しい登録番号であれば、その一番号のみを解除する方法が考えられるが、登録番号が複数の場合には所望する登録番号を指定できない。
【００１２】
また、最も新しい登録番号ではない場合には、登録した順番を覚えておく方法が考えられるが、最初（又は最後）の登録から何番目に登録したという順番では、途中の順番の登録を削除すると、その前後で順番がずれることになり、混乱を招きやすい。
【００１３】
それでも確実に設定解除したい場合は、一律一定時間後に解除する方法（特許文献２参照）や、全ての登録番号を解除する方法があるが、着信拒否したい電話番号も含めて解除することになる。
【００１４】
本発明は、上記課題を鑑みてなされたものであり、その課題とするところは、着信拒否対象として登録された発番号非通知の発端末の登録を指定して解除することにある。
【課題を解決するための手段】
【００１５】
請求項１記載の着信拒否番号設定解除装置は、発信する端末の要求に従って伝送路間の接続を切り替えて通信回線を構成する回線交換通信機器で動作する着信拒否番号設定解除装置において、発番号が非通知に設定された発端末からの着信を受けた着端末から、前記着信を拒否する着信拒否登録を受けた場合に、前記着端末との通信時に識別された前記発端末の電話番号を記憶手段に登録すると共に、当該登録した登録時刻を対応付けて登録する登録手段と、前記着端末から着信拒否設定解除を受けた場合に、前記着端末により指定された指定時刻に対応する発端末の電話番号を前記記憶手段から削除する設定解除手段と、を有することを特徴とする。
【００１６】
本発明によれば、発番号が非通知に設定された発端末からの着信を受けた着端末から、その着信を拒否する着信拒否登録を受けた場合に、着端末との通信時に識別された発端末の電話番号を記憶手段に登録すると共に、その登録した登録時刻を対応付けて記憶手段に登録し、着端末から着信拒否設定解除を受けた場合に、その着端末により指定された指定時刻に対応する発端末の電話番号を記憶手段から削除するため、着信拒否対象として登録された発番号非通知の発端末の登録を指定して解除できる。
【００１７】
請求項２記載の着信拒否番号設定解除装置は、請求項１記載の着信拒否番号設定解除装置において、前記指定時刻は、前記記憶手段の登録時刻を取得可能な音声応答装置により音声ガイダンスで前記着端末に提供された１以上の登録時刻から選択された時刻、又は、前記記憶手段の登録時刻を取得可能なウェブサーバにより前記着端末に表示された１以上の登録時刻から選択された時刻であることを特徴とする。
【００１８】
請求項３記載の着信拒否番号設定解除装置は、請求項１又は２記載の着信拒否番号設定解除装置において、前記回線交換通信機器は、交換機又はＳＩＰサーバであることを特徴とする。
【００１９】
請求項４記載の着信拒否番号設定解除方法は、発信する端末の要求に従って伝送路間の接続を切り替えて通信回線を構成する回線交換通信機器で行う着信拒否番号設定解除方法において、発番号が非通知に設定された発端末からの着信を受けた着端末から、前記着信を拒否する着信拒否登録を受けた場合に、前記着端末との通信時に識別された前記発端末の電話番号を記憶手段に登録すると共に、当該登録した登録時刻を対応付けて登録する登録ステップと、前記着端末から着信拒否設定解除を受けた場合に、前記着端末により指定された指定時刻に対応する発端末の電話番号を前記記憶手段から削除する設定解除ステップと、を有することを特徴とする。
【００２０】
本発明によれば、発番号が非通知に設定された発端末からの着信を受けた着端末から、その着信を拒否する着信拒否登録を受けた場合に、着端末との通信時に識別された発端末の電話番号を記憶手段に登録すると共に、その登録した登録時刻を対応付けて記憶手段に登録し、着端末から着信拒否設定解除を受けた場合に、その着端末により指定された指定時刻に対応する発端末の電話番号を記憶手段から削除するため、着信拒否対象として登録された発番号非通知の発端末の登録を指定して解除できる。
【００２１】
請求項５記載の着信拒否番号設定解除方法は、請求項４記載の着信拒否番号設定解除方法において、前記指定時刻は、前記記憶手段の登録時刻を取得可能な音声応答装置により音声ガイダンスで前記着端末に提供された１以上の登録時刻から選択された時刻、又は、前記記憶手段の登録時刻を取得可能なウェブサーバにより前記着端末に表示された１以上の登録時刻から選択された時刻であることを特徴とする。
【００２２】
請求項６記載の着信拒否番号設定解除方法は、請求項４又は５記載の着信拒否番号設定解除方法において、前記回線交換通信機器は、交換機又はＳＩＰサーバであることを特徴とする。
【００２３】
請求項７記載の着信拒否番号設定解除プログラムは、請求項４乃至６のいずれかに記載の各ステップをコンピュータに実行させることを特徴とする。
【発明の効果】
【００２４】
本発明によれば、着信拒否対象として登録された発番号非通知の発端末の登録を指定して解除できる。
【図面の簡単な説明】
【００２５】
【図１】電話回線通信システムの全体構成例を示す図である。
【図２】着信拒否番号登録時の動作フロー例を示すシーケンスである。
【図３】メモリに記憶された着信拒否番号登録データ例を示す図である。
【図４】着信拒否番号の設定解除時（電話端末の場合）の動作フロー例を示すシーケンスである。
【図５】着信拒否番号の設定解除時（Ｗｅｂブラウザの場合）の動作フロー例を示すシーケンスである。
【図６】Ｗｅｂブラウザに表示される着信拒否番号登録データ例を示す図である。
【図７】発番号非通知の着信に対する着信拒否番号登録の動作フロー例を示すシーケンスである。
【発明を実施するための形態】
【００２６】
本発明は、発番号非通知の着信を迷惑電話と判断したユーザが通話後に着信拒否登録することに着目し、その着信拒否登録の設定を解除する際に、着信拒否登録した日時を識別子として使用することを特徴としている。
【００２７】
これにより、発番号非通知により発端末の電話番号が着端末に通知されない場合であっても、着信拒否対象として登録された発番号非通知の発端末の登録を指定して解除できるようなる。
【００２８】
以下、本発明を実施する一実施の形態について図面を用いて説明する。但し、本発明は多くの異なる様態で実施することが可能であり、本実施の形態の記載内容に限定して解釈すべきではない。
【００２９】
〔電話回線通信システムの全体構成について〕
図１は、電話回線通信システムの全体構成例を示す図である。この電話回線通信システムは、現在使用されている電話回線通信システムと同様の構成により実現され、具体的には、通話機能を有する端末や、その端末の要求に従って伝送路間の接続を切り替えて通信回線を構成する回線交換通信機器で主に構成されている。
【００３０】
本実施の形態では、そのような端末のうち、発信側の端末を発端末３００ｂとし、着信側の端末を着端末３００ａとする。
【００３１】
また、一構成要素である上記回線交換通信機器は、端末同士を接続するために電話網内に設置された機器であり、本実施の形態では、発端末３００ｂを収容する発網１００ｂと着端末３００ａを収容する着網１００ａとにそれぞれ設置されている。
【００３２】
なお、このような回線交換通信機器としては、例えば、電話回線通信システムが回線交換の場合には交換機により実現され、ＩＰ電話交換の場合にはＳＩＰサーバにより実現できる。但し、上述したように、発信する端末の要求に従って伝送路間の接続を切り替えて通信回線を構成する回線交換通信機器であればどのような機器でもよく、現在代表される交換機やＳＩＰサーバのみに限定されない。
【００３３】
ここで、本発明の特徴的部分である着網１００ａのシステム構成について説明する。着網１００ａは、着網内の回線交換通信機器で動作する着信拒否番号設定解除装置１１０と、その着信拒否番号設定解除装置１１０に通信可能にそれぞれ接続された音声応答装置１２０及びＷｅｂサーバ１３０とで主に構成されている。
【００３４】
着信拒否番号設定解除装置１１０は、受付部１１１と、登録部１１２と、設定解除部１１３と、メモリ１１４とで主に構成され、着信拒否登録、着信拒否設定状況問合せ、着信拒否設定解除等の各操作をそれぞれ行うための各特番が設定されている。以下、それら各部の機能について詳述する。
【００３５】
受付部１１１は、それら各操作に応じた特番が着端末３００ａによりダイヤルされた場合に、その着信（着信拒否登録、着信拒否設定状況問合せ、着信拒否設定解除等の要求に係る着信）を受け付けて、音声応答装置１２０に接続する機能を有している。
【００３６】
登録部１１２及び設定解除部１１３は、音声応答装置１２０又はＷｅｂサーバ１３０から着信拒否登録、着信拒否設定状況問合せ、着信拒否設定解除等の指示を受けた場合に、メモリ１１４に対して該当の操作を行う機能を有している。
【００３７】
具体的には、着端末３００ａから着信を拒否する着信拒否登録を受けた場合、登録部１１２が、着端末３００ａとの通信時（例えば、呼設定時や呼解放時）に識別された発端末３００ｂの電話番号を着信拒否番号としてメモリ１１４に登録すると共に、その登録した登録日時（登録時刻）を着信拒否番号登録日時（着信拒否番号登録時刻）として着信拒否番号に対応付けてメモリ１１４に登録する。
【００３８】
また、着端末３００ａから着信拒否番号の登録を削除する着信拒否設定解除を受けた場合には、設定解除部１１３が、その着端末３００ａにより指定された指定日時（指定時刻）に対応する着信拒否番号（発端末の電話番号）をメモリ１１４から削除する。
【００３９】
メモリ１１４は、着信拒否番号設定解除装置１１０の利用を契約している着端末３００ａの契約番号（電話番号）と、着信拒否番号と、着信拒否番号登録日時とを対応付けて登録、保持、削除する機能を有している。着端末３００ａの契約ユーザが着信拒否登録の設定を解除すべきか否かを判断する際の参考となるよう、例えば、着信拒否番号からの着信回数の実績や、直近の着信日時等を併せて記録してもよい。
【００４０】
以上、着信拒否番号設定解除装置１１０を構成する各部の機能について説明した。引き続き、音声応答装置１２０及びＷｅｂサーバ１３０の機能について説明する。
【００４１】
音声応答装置１２０は、着信拒否番号設定解除装置１１０と連携して動作する装置であり、契約ユーザにより着端末３００ａで該当の特番がダイヤルされることにより、着信拒否登録、着信拒否設定状況問合せ、着信拒否設定解除等の要求に係る着信があった場合に、当該着信を受け付けた着信拒否番号設定解除装置１１０によって着端末３００ａに接続され、当該契約ユーザに対して該当の音声ガイダンスを送信し、契約ユーザの当該着端末３００ａのボタン操作による指示（例えば、ＰＢ（Ｐｕｓｈ  Ｂｕｔｔｏｎ）音等）を受けて、着信拒否番号設定解除装置１１０に対して該当の操作を指示する機能を有している。
【００４２】
Ｗｅｂサーバ１３０は、契約ユーザがＷｅｂブラウザ機能を具備するパソコン等のＷｅｂブラウザ３１０ａを使用する場合に、インターネット５００を経由して契約ユーザのＷｅｂブラウザ３１０ａに接続され、そのＷｅｂブラウザ３１０ａから、着信拒否登録、着信拒否設定状況問合せ、着信拒否設定解除等の要求を受けてＷｅｂブラウザ３１０ａ上に該当の情報を表示し、契約ユーザのＷｅｂブラウザ３１０ａの操作による指示を受けて、着信拒否番号設定解除装置１１０に対して該当の操作を指示する機能を有している。
【００４３】
〔着信拒否番号登録時の動作フローについて〕
次に、着信拒否番号登録時の動作フローについて説明する。図２は、着信拒否番号登録時の動作フロー例を示すシーケンスである。
【００４４】
発番号が非通知に設定された発端末３００ｂからの着信を受けて、発端末３００ｂと着端末３００ａとの間で通話呼が確立し、着端末３００ａにより当該通話呼が解放される（Ｓ１０１）。
【００４５】
Ｓ１０１の後、契約ユーザが着信拒否登録用の特番をダイヤルすることにより、着端末３００ａから着信拒否登録を受けた場合、着信拒否番号設定解除装置１１０の登録部１１２により、Ｓ１０１で識別されていた発端末３００ｂの電話番号が着信拒否番号としてメモリ１１４に登録されると共に、その登録した登録日時が着信拒否番号登録日時として着信拒否番号に対応付けてメモリ１１４に登録される（Ｓ１０２）。
【００４６】
このとき、その登録した着信拒否番号の設定を解除する際に識別子として使用するため、着端末３００ａにより、その登録日時（例えば、２０１１年１月１日１時１分１秒）が着端末のメモリ等に記憶される。着端末３００ａの契約ユーザが頭や紙に記憶しておいてもよい。
【００４７】
引き続き、同様に、発番号が非通知に設定された他の発端末３００ｂ’からの着信を受けた場合、当該他の発端末３００ｂ’と着端末３００ａとの間で通話呼が確立し、着端末３００ａにより当該通話呼が解放される（Ｓ１０３）。
【００４８】
Ｓ１０３の後、契約ユーザが着信拒否登録用の特番をダイヤルすることにより、着端末３００ａから着信拒否登録を受けた場合、着信拒否番号設定解除装置１１０の登録部１１２により、Ｓ１０３で識別されていた他の発端末３００ｂ’の電話番号が着信拒否番号としてメモリ１１４に登録されると共に、その登録した登録日時が着信拒否番号登録日時として着信拒否番号に対応付けてメモリ１１４に登録される（Ｓ１０４）。
【００４９】
このときも同様に、着端末３００ａにより、その登録日時（例えば、２０１１年２月２日２時２分２秒）が着端末のメモリ等に記憶される。
【００５０】
以上の動作フローにより、図３に示すような着信拒否番号登録データが着信拒否番号設定解除装置１１０のメモリ１１４に登録される。以後、着信拒否番号（発端末の電話番号「Ａ」及び「Ｂ」）から契約番号（着端末の電話番号「Ｘ」）に発信したとしても網で拒否されるため、着端末３００ａには着信されない。
【００５１】
〔登録された着信拒否番号の設定解除時の動作フローについて〕
次に、着信拒否番号設定解除装置１１０に登録された着信拒否番号の設定解除時の動作フローについて説明する。
【００５２】
設定解除方法については、例えば、契約ユーザが自己の電話端末から所定の電話番号にダイヤルすることにより、音声ガイダンスの指示に従い、着信拒否番号を登録した登録日時を聞き、解除を指示するダイヤルボタンを押す（例えば、ＰＢ音の送信）方法が考えられる。
【００５３】
また、例えば、契約ユーザがパソコンにて所定のＵＲＬにアクセスし、ＩＤとパスワードを入力することにより当該契約ユーザの設定画面にて、着信拒否番号を登録した登録日時に該当する項目に解除指示を入力する方法等も考えられる。
【００５４】
以下、それら２つの設定解除方法について、着端末３００ａによる設定解除の場合と、パソコン等のＷｅｂブラウザ３１０ａによる設定解除の場合とに分けてそれぞれ説明する。
【００５５】
図４は、着信拒否番号の設定解除時（電話端末の場合）の動作フロー例を示すシーケンスである。
【００５６】
最初に、契約ユーザが着信拒否設定状況問合せ用の特番をダイヤルすることにより、着端末３００ａから着信拒否設定状況問合せを受けた場合、着信拒否番号設定解除装置１１０の受付部１１１により、その着信拒否設定状況問合せに係る着信が受け付けられ、音声応答装置１２０に送信されて、着端末３００ａが音声応答装置１２０に接続される（Ｓ３０１）。
【００５７】
着信拒否設定状況問合せに対して複数の操作が音声応答装置１２０に予め登録されており、音声応答装置１２０により、その複数の操作に対してどれを選択するかを問い合わせる操作内容選択要求が音声ガイダンスで着端末３００ａに送信される（Ｓ３０２）。
【００５８】
ここで、着端末３００ａにより、そのような複数の操作から、登録日時による状況報告を要求する操作を選択する特定ボタンの押下により当該着端末３００ａから当該操作の指示（例えば、ＰＢ音の送信）を受けた場合（Ｓ３０３）、音声応答装置１２０により、着信拒否番号設定解除装置１１０のメモリ１１４から当該着端末３００ａに関連する着信拒否番号や着信拒否番号登録日時が取得され、「２０１１年１月１日１時１分１秒に登録した番号には・・・・、２０１１年２月２日２時２分２秒に登録した番号には・・・・」等の音声ガイダンスが着端末３００ａに送信される（Ｓ３０４）。すなわち、着端末３００ａに対して、着信拒否番号設定解除装置１１０のメモリ１１４に登録されている１以上の着信拒否番号登録日時が音声により提供される。
【００５９】
その後、例えば、２０１１年１月１日１時１分１秒に登録した番号を解除するため、着端末３００ａにより、その日時（指定日時）を指定する特定ボタンの押下により当該着端末３００ａから当該操作の指示（例えば、ＰＢ音の送信）を受けた場合（Ｓ３０５）、音声応答装置１２０により、着信拒否番号設定解除装置１１０に対して、その指定日時（すなわち、着信拒否番号登録日時）に対応する着信拒否番号をメモリ１１４から削除する操作が指示される（Ｓ３０６）。
【００６０】
なお、Ｓ３０５で押下られる特定ボタンとは、音声ガイダンスで通知された１以上の着信拒否番号登録日時のうち所望の日時を選択する１つのボタンが一般的である。その他、その着信拒否番号登録日時を０〜９の１０種類のボタンで入力してもよい。
【００６１】
最後に、設定解除部１１３により、２０１１年１月１日１時１分１秒に関連する全てのデータ（図３に示す着信拒否番号「Ａ」に関連するレコード）がメモリ１１４から削除される（Ｓ３０７）。
【００６２】
以上、着信拒否番号の設定解除時（電話端末の場合）の動作フローについて説明した。引き続き、着信拒否番号の設定解除時（Ｗｅｂブラウザの場合）の動作フローについて説明する。図５は、着信拒否番号の設定解除時（Ｗｅｂブラウザの場合）の動作フロー例を示すシーケンスである。
【００６３】
最初に、Ｗｅｂブラウザ３１０ａにより、着信拒否番号を登録・設定解除する設定画面を提供するＷｅｂサーバ１３０のＵＲＬにアクセスされ（Ｓ５０１）、その設定画面にログインするためのユーザ認証が行われ（Ｓ５０２）、ＩＤ（契約番号「Ｘ」と対応付けられた識別子）及びパスワードの入力（Ｓ５０３）により認証成功した場合に、Ｗｅｂサーバ１３０により、着信拒否登録、着信拒否設定状況問合せ、着信拒否設定解除等の各操作のうちどれを選択するかを問い合わせる操作内容選択要求がＷｅｂブラウザ３１０ａに表示される（Ｓ５０４）。
【００６４】
ここで、Ｗｅｂブラウザ３１０ａにより、着信拒否設定状況問合せの操作が選択された場合（Ｓ５０５）、Ｗｅｂサーバ１３０により、着信拒否番号設定解除装置１１０のメモリ１１４から当該契約番号「Ｘ」に関連する着信拒否番号登録データ（着信拒否番号や着信拒否番号登録日時等）が取得され、Ｗｅｂブラウザ３１０ａに送信される（Ｓ５０６）。すなわち、Ｗｅｂブラウザ３１０ａに対して、着信拒否番号設定解除装置１１０のメモリ１１４に登録されている１以上の着信拒否番号登録日時が提供される。
【００６５】
具体的には、例えば、図６に示すような設定解除欄付の着信拒否番号登録データがＷｅｂブラウザ３１０ａに送信され、画面に表示される。なお、発番号非通知であるため、図３に示したメモリ上のデータとは異なり、発端末３００ｂの着信拒否番号は表示されない。
【００６６】
その後、例えば、２０１１年１月１日１時１分１秒に登録した番号を解除するため、Ｗｅｂブラウザ３１０ａにより、その日時（指定日時）に対応する設定解除欄へのチェック入力により当該Ｗｅｂブラウザ３１０ａから着信拒否設定解除の操作の指示を受けた場合、Ｗｅｂサーバ１３０により、着信拒否番号設定解除装置１１０に対して、その指定日時（すなわち、着信拒否番号登録日時）に対応する着信拒否番号をメモリ１１４から削除する操作が指示される（Ｓ５０７）。
【００６７】
最後に、設定解除部１１３により、２０１１年１月１日１時１分１秒に登録した番号に関連する全てのデータ（図３に示す着信拒否番号「Ａ」に関連するレコード）がメモリ１１４から削除される（Ｓ５０８）。
【００６８】
以上、着信拒否番号の設定解除時（Ｗｅｂブラウザの場合）の動作フローについて説明した。
【００６９】
以上より、本実施の形態によれば、発番号が非通知に設定された発端末３００ｂからの着信を受けた着端末３００ａから、その着信を拒否する着信拒否登録を受けた場合に、着端末３００ａとの通信時に識別された発端末３００ｂの電話番号をメモリ１１４に登録すると共に、その登録した登録時刻を対応付けてメモリ１１４に登録し、着端末３００ａから着信拒否設定解除を受けた場合に、その着端末３００ａにより指定された指定時刻に対応する発端末３００ｂの電話番号をメモリ１１４から削除するので、着信拒否対象として登録された発番号非通知の発端末３００ｂの登録を指定して解除できる。
【００７０】
すなわち、相手の電話番号を知らなくても、その電話番号からの着信を拒否登録できる電話網でのサービスにて、その電話番号は未知のままであっても、その設定を指定して解除できるようになる。
【００７１】
これにより、例えば、相手の電話番号は知らないものの、着信を期待していた相手から着信しなくなった場合等、誤登録したことが疑われる際に、全ての登録済番号の解除をすることなく、被疑の設定のみ、登録した日時の記憶に基づいて指定して解除できるようになる。
【符号の説明】
【００７２】
１００ａ…着網
１００ｂ…発網
３００ａ…着端末
３００ｂ…発端末
３１０ａ…Ｗｅｂブラウザ
１１０…着信拒否番号設定解除装置（回線交換通信機器）
１１１…受付部
１１２…登録部
１１３…設定解除部
１１４…メモリ
１２０…音声応答装置
１３０…Ｗｅｂサーバ
５００…インターネット
Ｓ１０１〜Ｓ１０４、Ｓ３０１〜Ｓ３０７、Ｓ５０１〜Ｓ５０８、Ｓ７０１〜Ｓ７０３…処理ステップ
【図１】
0005498436.tif 000002
【図２】
0005498436.tif 000003
【図３】
0005498436.tif 000004
【図４】
0005498436.tif 000005
【図５】
0005498436.tif 000006
【図６】
0005498436.tif 000007
【図７】
0005498436.tif 000008